(57)【要約】      （修正有）【課題】白色及び灰色の校正効果を設えて、感光性能の向上を図ったスキャナーの背景装置を提供する。【解決手段】スキャナーの背景装置１は、スキャナー中に設置し、スキャナーはハウジング、及びハウジング内に設置するスキャナーモジュール２１４を備え、スキャナーモジュール２１４は走査線２３０を定義し、背景装置１は走査線２３０の延伸方向上に設置し、スキャナーモジュール２１４に面する校正片２を設置し、背景装置１は走査線２３０の延伸方向に沿って、スキャナーモジュール２１４に相対して移動し、これによりスキャナーの背景装置は、走査線２３０の延伸方向において、スキャナーモジュール２１４に相対して移動することができ、スキャナーモジュール２１４が感知する輝度はそれに従い変化し、こうして背景装置１は白色及び灰色の校正効果を備え、スキャナーモジュール２１４内の光学感知装置２２４に対して各種パラメータの調整を行い、最良の感光性能を達成する。【選択図】図２
0003159465.tif 000002
【実用新案登録請求の範囲】
【請求項１】
スキャナー中に設置し、
前記スキャナーは、ハウジング、及び前記ハウジング内に設置するスキャナーモジュールを備え、
前記スキャナーモジュールは、走査線を定義し、
前記スキャナーの背景装置はさらに、支持体と校正片を備え、
前記支持体は、前記ハウジング内に設置し、走査線の延伸方向上に位置し、
前記校正片は、前記支持体上に設置し、前記スキャナーモジュールに面し、
前記支持体と前記校正片とは、走査線の延伸方向に沿って、前記スキャナーモジュールに相対して移動することを特徴とするスキャナーの背景装置。
【請求項２】
前記校正片は白色であることを特徴とする請求項１に記載のスキャナーの背景装置。
【請求項３】
前記背景装置には、前記背景装置と前記ハウジングとを可動接続する可動接続装置を設置することを特徴とする請求項２に記載のスキャナーの背景装置。
【考案の詳細な説明】
【技術分野】
【０００１】
本考案は背景装置に関し、特にスキャナーの背景装置に関する。
【背景技術】
【０００２】
シートフィードスキャナーにおいて、スキャナーピックアップヘッドは固定されているため、紙は、ローラーにより持ち出され、スキャナーピックアップヘッドを通過し、画像が走査される。一方、一般のシートフィードスキャナーの背景装置の色は、固定であるため、紙の色が薄い時には、背景装置を手動で濃い色に換える必要がある。つまり、紙が濃い色である時には、背景装置を手動で薄い色に換える必要があり、紙と背景装置の色がコントラストを形成することにより、紙の辺縁の探知と紙のゆがみの校正に有利となる。
【０００３】
スキャナーピックアップヘッドが画像の校正を行う時には、一般には白色及び灰色の背景装置を使用する。これにより、スキャナーピックアップヘッド内の各感光部品に対して、各種のパラメータの調整を行い、こうして各感光部品は最良の感光性能を達成する。しかし、手動で背景装置を交換する方式は、スキャナーの外殻を開く必要があるため、非常に不便で、またこれによりスキャナーの損壊を招き易い。しかも、背景装置を手動で交換する過程においては、汚れが生じ易く、このためスキャナーが紙の辺縁の探知、紙のゆがみの校正を行い、またピックアップヘッドが画像の校正を行う際に、誤判断が生じ易くなり、画像の品質に影響を及ぼす。そのため、背景転換装置は、徐々にスキャナーの必須構成部品になりつつある。本考案は、従来のスキャナーの背景装置の上記した欠点に鑑みてなされたものである。
【考案の概要】
【考案が解決しようとする課題】
【０００４】
本考案が解決しようとする課題は、上記した従来の技術に存在する欠点を解決することができる白色及び灰色校正効果を備えるスキャナーの背景装置を提供することである。
【課題を解決するための手段】
【０００５】
上記課題を解決するため、本考案は下記のスキャナーの背景装置を提供する。
スキャナーの背景装置は、スキャナー中に設置し、
該スキャナーは、ハウジング、及び該ハウジング内に設置するスキャナーモジュールを備え、
該スキャナーモジュールは、走査線を定義し、
スキャナーの背景装置はさらに、支持体と校正片を備え、
該支持体は、該ハウジング内に設置し、走査線の延伸方向上に位置し、
該校正片は、該支持体上に設置し、該スキャナーモジュールに面し、
該支持体と該校正片とは、走査線の延伸方向に沿って、該スキャナーモジュールに相対して移動する。
【考案の効果】
【０００６】
本考案スキャナーの背景装置は、走査線の延伸方向において、スキャナーモジュールに相対して移動することができ、スキャナーモジュールが感知する輝度はそれに従い変化し、こうして背景装置は白色及び灰色の校正効果を備え、スキャナーモジュール内の光学感知装置に対して各種パラメータの調整を行い、最良の感光性能を達成する。
【図面の簡単な説明】
【０００７】
【図１】本考案スキャナーの背景装置をシートフィードスキャナーに設置する様子を示す模式図である。
【図２】図１に示す走査装置とスキャナーの背景装置の模式図である。
【図３】背景装置とスキャナーモジュールとの間の距離及びスキャナーモジュール感知輝度の数値を示す折れ線グラフである。
【考案を実施するための形態】
【０００８】
以下に図面を参照しながら本考案を実施するための最良の形態について詳細に説明する。
【実施例】
【０００９】
図１、２に示すように、本考案スキャナーの背景装置１は、シートフィードスキャナー２００中に設置する。シートフィードスキャナー２００には、ハウジング２０２、トランスミッティングチャンネル２０４、ピックアップローラーユニット２０６、セパレートローラー２０８、トランスミッティングローラーユニット２１０、イジェクトローラーユニット２１２、スキャナーモジュール２１４、フィードトレイ２１６、イジェクトトレイ２１８を設置する。トランスミッティングチャンネル２０４は、ハウジング２０２内に設置し、上流インプット開口２２０と下流アウトプット開口２２２を設置する。
【００１０】
フィードトレイ２１６は、ハウジング２０２に連接し、トランスミッティングチャンネル２０４の上流インプット開口２２０位置に設置し、走査を待つ文書を載せるために用いる。イジェクトトレイ２１８は、ハウジング２０２に連接し、フィードトレイ２１６の増真下に設置し、走査が完了した文書を載せるために用いる。ピックアップローラーユニット２０６は、トランスミッティングチャンネル２０４の上流インプット開口２２０位置に設置し、フィードトレイ２１６上の文書Ｐを読み取り、文書Ｐを、上流インプット開口２２０からトランスミッティングチャンネル２０４内へと送る。
【００１１】
セパレートローラー２０８は、トランスミッティングチャンネル２０４の上流インプット開口２２０位置に設置し、ピックアップローラーユニット２０６の下流に位置する。セパレートローラー２０８には、セパレート主動ホイールとセパレート受動ホイールを設置し、重なった文書を分離し、一枚一枚の文書を、順番にトランスミッティングチャンネル２０４内へと送る。具体的な実施時には、セパレート受動ホイールは、セパレート片に置換することができる。トランスミッティングローラーユニット２１０は、上流から下流まで、トランスミッティングチャンネル２０４の相対する両側に分散して設置する。各トランスミッティングローラーユニット２１０にはすべて、セパレート主動ホイールとセパレート受動ホイールを設置し、文書Ｐを、トランスミッティングチャンネル２０４の上流から下流へと送る。
【００１２】
イジェクトローラーユニット２１２は、トランスミッティングチャンネル２０４の下流アウトプット開口２２２位置に設置し、文書Ｐを下流アウトプット開口２２２から、トランスミッティングチャンネル２０４へと送る。文書Ｐが、下流アウトプット開口２２２より、シートフィードスキャナー２００から排出されると、文書Ｐは、イジェクトトレイ２１８上に置かれる。
【００１３】
スキャナーモジュール２１４は、ハウジング２０２内に設置され、しかもトランスミッティングチャンネル２０４の片側に位置する。スキャナーモジュール２１４には、光学感知装置２２４と外殻２２６を設置する。光学感知装置２２４は、外殻２２６上に設置され、外殻２２６内部へと通じる。外殻２２６内には、多数の反射片２２８を設置する。光ビームは、文書Ｐに反射後、外殻２２６内に射し込み、反射片２２８に反射された後、光学感知装置２２４に進入する。光学感知装置２２４は、光ビームを感知後、光ビームを電子信号に転換し、コンピューターシステムへと送り、対応するイメージを表示する。本実施例中では、光ビームは外殻２２６の外部に、走査線２３０を形成し、しかも走査線２３０は、文書Ｐの設置方向に対しておおよそ垂直である。
【００１４】
背景装置１は、トランスミッティングチャンネル２０４の反対側に設置し、スキャナーモジュール２１４と相対させて設置する。背景装置１には、校正片２と支持体４を設置する。校正片２は、支持体４上に設置し、相対する校正面６と接合面を設置する。校正面６は、スキャナーモジュール２１４に面し、接合面は、支持体４に連接する。支持体４には、可動接続装置８を設置し、シートフィードスキャナー２００のハウジング２０２を可動接続する。本実施例では、背景装置１は、走査線２３０の延伸方向上に設置する。背景装置１は、可動接続装置８により、ハウジング２０２内において、走査線２３０の延伸方向に沿って、上下移動を行うことができ、こうしてスキャナーモジュール２１４の校正作業を完成する。
【００１５】
下表と図３に示すように、スキャナーモジュール２１４が校正を開始する時、背景装置１とスキャナーモジュール２１４とは、１０ミリの間隔距離を保持する。校正片２の校正面６が白色である時、スキャナーモジュール２１４が校正片２を走査し、その後感知する赤緑青(ＲＧＢ)三原色の輝度は、それぞれ５６、１０１、９０である。背景装置１が、徐々に移動し、スキャナーモジュール２１４から離れ、しかも背景装置１とスキャナーモジュール２１４とが、１５ミリの間隔距離を保持する時、スキャナーモジュール２１４が感知する赤緑青(ＲＧＢ)三原色の輝度は、それぞれ２６、５１、５１である。背景装置１がスキャナーモジュール２１４からさらに離れ、しかも背景装置１とスキャナーモジュール２１４とが、１８．７５ミリの間隔距離を保持する時、スキャナーモジュール２１４が感知する赤緑青(ＲＧＢ)三原色の輝度は、それぞれ１２、１８、２０である。
【表１】
0003159465.tif 000003
【００１６】
背景装置１が、スキャナーモジュール２１４に近づくと、スキャナーモジュール２１４が感知する輝度値はより大きくなる。よって、校正片２は、白色の校正効果を備える。背景装置１が、スキャナーモジュール２１４から離れると、スキャナーモジュール２１４が感知する輝度値はより小さくなる。よって、校正片２は、灰色の校正効果を備える。そのため、背景装置１がスキャナーモジュール２１４に相対して移動する時、スキャナーモジュール２１４が感知する輝度は、それに従い変化する。これにより、背景装置１は、白色及び灰色の校正効果を備え、こうしてスキャナーモジュール２１４内の光学感知装置２２４に対して、各種のパラメータ調整を行い、光学感知装置２２４は、最良の感光性能を達成することができる。
【００１７】
上記したように、本考案スキャナーの背景装置１は、走査線２３０の延伸方向において、スキャナーモジュール２１４に相対して上下移動を行う。これにより、背景装置１は、白色及び灰色の校正効果を備え、こうしてスキャナーモジュール２１４内の光学感知装置２２４に対して、各種のパラメータ調整を行い、光学感知装置２２４は、最良の感光性能を達成することができる。
【００１８】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００１９】
本考案は実用新案の要件である新規性を備え、従来の同類製品に比べ十分な進歩を有し、実用性が高く、社会のニーズに合致しており、産業上の利用価値は非常に大きい。
【符号の説明】
【００２０】
１  スキャナーの背景装置
２  校正片
４  支持体
６  校正面
８  可動接続装置
２００  シートフィードスキャナー
２０２  ハウジング
２０４  トランスミッティングチャンネル
２０６  ピックアップローラーユニット
２０８  セパレートローラー
２１０  トランスミッティングローラーユニット
２１２  イジェクトローラーユニット
２１４  スキャナーモジュール
２１６  フィードトレイ
２１８  イジェクトトレイ
２２０  上流インプット開口
２２２  下流アウトプット開口
２２４  光学感知装置
２２６  外殻
２２８  反射片
２３０  走査線
Ｐ  文書
【図１】
0003159465.tif 000004
【図２】
0003159465.tif 000005
【図３】
0003159465.tif 000006